(57)【要約】      （修正有）【課題】航空機、バス、新幹線等の電車、劇場等の密閉空間において、隣接する座席間での飛沫感染を抑制できるシールド板装置を提供する。【解決手段】シールド板装置１０は、板２０とバネ３０を有している。バネ３０は、Ｃの字状に湾曲する湾曲部３１を有している。板２０は、Ｊの字状に切り取られた湾曲する凹部２３を有している。湾曲部３１と、凹部２３の湾曲する部分を重ねて、固定部３２で固定している。バネ３０は、Ｃの字状の湾曲部３１を広げ、その状態から、その広げる方向とは反対方向の湾曲部３１を狭める方向に、湾曲部３１を付勢力で閉じることが可能である。【選択図】図１
2022000064.tif 000002
【特許請求の範囲】
【請求項１】
板と、バネとを有し、
前記バネは、前記板の端部にＣの字状に湾曲する湾曲部と、
前記板は、ＪまたはＵの字状に切り取られた湾曲する凹部と、を有し、
前記湾曲部と、前記凹部の湾曲する部分を重ねて、前記バネと前記板とを固定する、固定部とを有し、
前記Ｃの字状の前記湾曲部を広げ、その状態から、その広げる方向とは反対方向の前記湾曲部を狭める方向に、前記湾曲部を付勢力で閉じることが可能である、シールド板装置。
【請求項２】
板と、バネとを有し、
前記バネは、Ｃの字状に湾曲する湾曲部と、
前記バネと、前記板とを固定する、固定部とを有し、
前記バネと、前記固定部とは一体成型物であり、
前記Ｃの字状を広げ、その状態から、その広げる方向とは反対側に、前記Ｃの字状を付勢力で狭めることが可能である、シールド板装置。
【請求項３】
板と、バネとを有し、
前記バネは、前記板の端部にＣの字状に湾曲する湾曲部と、
前記バネと、前記板とを蝶番状に動作させる回転軸を有し、
前記Ｃの字状を広げ、その状態から、その広げる方向とは反対側に、前記Ｃの字状を付勢力で狭めることが可能である、シールド板装置。
【請求項４】
板と、バネとを有し、
前記バネは、前記板の端部にＣの字状に湾曲する湾曲部と、前記板を固定する固定部を有し、
前記バネは、座席の背もたれと前記板を固定し、
前記バネの固定部は、前記板の高さの１／５以上を固定し、
前記Ｃの字状を広げ、その状態から、その広げる方向とは反対側に、前記Ｃの字状を付勢力で狭めることが可能である、シールド板装置。
【発明の詳細な説明】
【技術分野】
【０００１】
本発明は、シールド板装置に関する。
【背景技術】
【０００２】
世界的な感染症の蔓延によって、マスクの装着および／またはソーシャルディスタンス（社会的距離）を人間の間に設けて、社会生活をすることが想定される。しかし、飛沫感染を抑制するためには、マスクの装着および／またはソーシャルディスタンスを設けるだけでは、十分ではない。特に、航空機、バス、新幹線等の電車、劇場等の密閉空間では、隣接する座席間で飛沫感染が生じてしまう。
【先行技術文献】
【特許文献】
【０００３】
【特許文献１】特開２０１９−０８５６６９号公報
【発明の概要】
【発明が解決しようとする課題】
【０００４】
しかしながら、あまりにも飛沫感染をおそれて、特許文献１のようなフェイスシールドを人間１人１人が装着するような社会生活では、社会生活がつまらなくなる上に、息苦しい。
【０００５】
そこで本発明の目的は、特に、航空機、バス、新幹線等の電車、劇場等の密閉空間において、隣接する座席間での飛沫感染を抑制できるシールド板装置を提供することである。
【課題を解決するための手段】
【０００６】
上記目的を達成するため、本発明のシールド板装置は、板と、バネとを有し、バネは、板の端部にＣの字状に湾曲する湾曲部と、板は、ＪまたはＵの字状に切り取られた湾曲する凹部と、を有し、湾曲部と、凹部の湾曲する部分を重ねて、バネと板とを固定する、固定部とを有し、Ｃの字状の湾曲部を広げ、その状態から、その広げる方向とは反対方向の湾曲部を狭める方向に、湾曲部を付勢力で閉じることが可能である。
【０００７】
上記目的を達成するため、本発明のシールド板装置は、板と、バネとを有し、バネは、Ｃの字状に湾曲する湾曲部と、バネと、板とを固定する、固定部とを有し、バネと、固定部とは一体成型物であり、Ｃの字状を広げ、その状態から、その広げる方向とは反対側に、Ｃの字状を付勢力で狭めることが可能である。
【０００８】
上記目的を達成するため、本発明のシールド板装置は、板と、バネとを有し、バネは、板の端部にＣの字状に湾曲する湾曲部と、バネと、板とを蝶番状に動作させる回転軸を有し、Ｃの字状を広げ、その状態から、その広げる方向とは反対側に、Ｃの字状を付勢力で狭めることが可能である。
【０００９】
上記目的を達成するため、本発明のシールド板装置は、板と、バネとを有し、バネは、板の端部にＣの字状に湾曲する湾曲部と、板を固定する固定部を有し、バネは、座席の背もたれと板を固定し、バネの固定部は、板の高さの１／５以上を固定し、Ｃの字状を広げ、その状態から、その広げる方向とは反対側に、Ｃの字状を付勢力で狭めることが可能である。
【発明の効果】
【００１０】
本発明では、特に、航空機、バス、新幹線等の電車、劇場等の密閉空間において、隣接する座席間での飛沫感染を抑制できるシールド板装置を提供することができる。
【図面の簡単な説明】
【００１１】
【図１】第１の実施の形態に係るシールド板装置の斜視図である。
【図２】第２の実施の形態に係るシールド板装置の斜視図である。
【図３】第１の実施の形態に係るシールド板装置を座席の背もたれの上方から装着する様子を示した図である。
【図４】第１および第２の実施の形態に係るシールド板装置の板と、バネとを固定する様子を示した図である。
【図５】第２の実施の形態に係るシールド板装置の板と、バネとを固定する様子を示した図である。
【図６】第１から４の実施の形態に係るバネの構成を示した図である。
【図７】第１から４の実施の形態に係るバネの構成を示した図である。
【図８】第３の実施の形態に係るシールド板装置の座席の背もたれの横から装着する様子を示した図である。
【図９】第４の実施の形態に係るシールド板装置の座席の背もたれの斜め上から装着する様子を示した図である。
【図１０】図９の紙面奥側から回転軸を示す図である。
【図１１】第５の実施の形態に係るシールド板装置の斜視図である。
【図１２】第５の実施の形態に係るシールド板装置の使用図であり、第５の実施の形態に係るシールド板装置を劇場の複数の座席の背もたれに取り付けた状態を示す図である。
【図１３】第６の実施の形態に係るシールド板装置の斜視図である。
【発明を実施するための形態】
【００１２】
（第１の実施の形態に係るシールド板装置の構成）
以下、第１の実施の形態について、図面に基づいて説明する。第１の実施の形態に係るシールド板装置１０は、図１に示すように、板２０を有している。板２０は、厚み０．３〜１０ｍｍのポリエチレンテレフタレート製で、略四角い部分２１と湾形状部分２２を外形として有する、Ｊの字状に切り取られた湾曲する凹部２３を有している。シールド板装置１０は、バネ３０を有している。バネ３０は、Ｃの字状に湾曲する湾曲部３１を有している。シールド板装置１０は、湾曲部３１と、凹部２３の湾曲する部分を重ねて、バネ３０と板２０とを３箇所の固定部３２で固定している。
【００１３】
なお、板２０の、Ｊの字に切り取られた湾曲する凹部２３と、バネ３０の、Ｃの字状に湾曲する湾曲部３１の「Ｊの字状」と「Ｃの字状」は、形状としては差がほとんどない。ただし、バネ３０と、板２０を重ねた状態で、バネ３０が、板２０とは重ならない部分３３等を有する点で「Ｊの字状」と「Ｃの字状」は、形状に差がある。
【００１４】
また、バネ３０は、Ｃの字状の湾曲部３１を広げ、その状態から、その広げる方向とは反対方向の湾曲部３１を狭める方向に、湾曲部３１を付勢力で閉じることが可能である。図３に示すように、その付勢力を利用してバス等の座席の背もたれ４０の上方（矢印ａ）から、バネ３０を挟み込むことができる。すると、隣り合う座席の間に板２０が垂直に配置され、板２０が感染症の飛沫感染をシールドするため、感染を抑制することができる。
【００１５】
３つの固定部３２の拡大図を図４に示す。板２０には、穴２４が開いていて、その穴２４の形状は、円形とその９０°間隔に円形と繋げて設けられた４つのスリット２５である。バネ３０からは、突出したピン３４が、板２０の穴２４にはまり込んでいる。ここで、穴２４の径は、ピン３４の径よりもわずかに小さくしている。仮にスリット２５がなければ、ピン３４は穴２４を貫通することはない。しかし、僅かなスリット２５の変形により、穴２４の径が広がることができ、穴２４がピン３４に付勢力を与えながら、固定部３２の穴２４とピン３４が固定される。なお、固定部３２の構成は、他の実施の形態でも採用している。そのため、固定部３２の構成を他の実施の形態で採用している場合は、符号（３２）を用いることとする。
【００１６】
後述する第２の実施の形態に係るシールド板装置のバネを用いて、第１の実施の形態に係るシールド板装置１０のバネ３０のバネ力の寿命を伸ばし、且つバネ力を強くする方法を、図５および図６を用いて説明する。図に付す符号は、便宜上第１の実施の形態に係るシールド板装置１０のバネ３０に付すべき符号を付すものとする。もともと、バネ３０は、ポリカーボネイトの成形物であり、バネ性を有する。しかし、何度も何度もバネ変形させることで、バネ性が劣化してしまう。そこで、金属製の板バネ３４をバネ３０の溝３５に挿入し、板バネ３４をバネ３０に沿わせる（図５→図６、図６の黒色が板バネ３４である）。すると、バネ３０のバネ性の寿命が延びるとともに、バネ力が強まる。
【００１７】
（第２の実施の形態に係るシールド板装置の構成）
図２に示す、第２の実施の形態に係るシールド板装置１１の構成は、第１の実施の形態に係るシールド板装置１０の構成と略同じである。第１の実施の形態に係るシールド板装置１０は、３つの固定部３２で板２０とバネ３０とを固定するが、第２の実施の形態に係るシールド板装置１１では、１つの固定部３２（構成は、図４に示した固定部３２と同じ）と、一つの板２６とバネ４５との係止部３６の２箇所で固定する。
【００１８】
シールド板装置１１は、図２に示すように、板４１を有している。板４１は、厚み０．３〜１０ｍｍのポリエチレンテレフタレート製で、略四角い部分４２と湾形状部分４３を外形として有する、Ｊの字状に切り取られた湾曲する凹部４４を有している。シールド板装置１０は、バネ４５を有している。バネ４５は、Ｃの字状に湾曲する湾曲部４６を有している。シールド板装置１１は、湾曲部４６と、凹部４４の湾曲する部分を重ねて、バネ４５と板４１とを固定している。
【００１９】
係止部３６の構成について図７を用いて説明する。図７は、図２の係止部３６を紙面奥側から見た図である。板４１との接触部３７の一部の四角いブロック３８が、接触部３７との隙間３９を開けるように図７の紙面奥へと配置されている。ブロック３８には、接触部３７と対向する面の中央部に、図７の紙面上下方向に凸状のリブ４７が形成されている。
【００２０】
板４１には、その湾形状部分４３の下部分にスリット４８が形成されている。まず、第２の実施の形態に係るシールド板装置１１の、スリット４８がブロック３８と接触部３７との隙間３９（接触部３７の板の裏側）を通り、リブ４７に嵌め合わされ、両者が係止される。その後、１つの固定部３２が固定される。これで１つの固定部３２と、係止部３６との部分で固定がなされ、板４１とバネ４５とが固定される。
【００２１】
これ以外の第２の実施の形態に係るシールド板装置１１の構成は、第１の実施の形態に係るシールド板装置１０と同じである、たとえば、バネ４５が板バネ３４を有しているところも同じである。また、バネ４５が部分３３を有しているところも同じである。
【００２２】
（第３の実施の形態に係るシールド板装置の構成）
図８は、第３の実施の形態に係るシールド板装置１２の矢印方向ｂから、すなわちバス等の座席の背もたれ４９の横方向からバネ５０を挟み込んだ状態を示す図である。第３の実施の形態に係るシールド板装置１２は、図８に示すように、板６０を有している。シールド板装置１２は、バネ５０を有している。バネ５０は、Ｃの字状に湾曲する湾曲部５１を有している。バネ５０は、湾曲部５１と、Ｖ字状部５２の一体成形物である。Ｖ字状部５２の二又に分かれている先端の固定部５３，５４で板６０とバネ５０を固定している。固定部５３，５４では、バネ５０側を凸部とし、板６０側を凹部として、凹部に凸部を嵌め込むことで、板６０とバネ５０を固定している。
【００２３】
これ以外の第３の実施の形態に係るシールド板装置１２の構成は、第１の実施の形態に係るシールド板装置１０と同じである、たとえば、バネ３０が板バネ３４を有しているところも同じである。ただし、シールド板装置１０では、バネ３０のＣの字状の湾曲部３１の外側に板バネ３４を装着していたが、バネ５０は、Ｃの字状の湾曲部５１の内に板バネ３４を装着している。
【００２４】
（第４の実施の形態に係るシールド板装置の構成）
図９は、第４の実施の形態に係るシールド板装置１３の矢印方向ｃから、すなわちバス等の座席の背もたれ６８の斜め上方向からバネ７０を挟み込んだ状態を示す図である。第４の実施の形態に係るシールド板装置１３は、図９に示すように、板６１を有している。シールド板装置１３は、バネ７０を有している。
【００２５】
バネ７０は、Ｃの字状に湾曲する湾曲部７１を有している。バネ７０は、湾曲部７１と、ポリカーボネイト製の四角板部７２との間に回転軸７３が形成され、その回転軸７３により、破線の矢印方向Ｄを回転軸とし、その周りをバネ７０と、四角板部７２が蝶番状に動作・回転する。
【００２６】
図９の紙面奥側から回転軸７３を示す図１０からわかるように、回転軸７３は、湾曲部７１が２つのリング部７６ａ，７６ｂを有し、四角板部７２が２つのリング部７６ａ，７６ｂの両端および間に合計３つのリング部７５ａ，７５ｂ，７５ｃを有している。全てのリング部７５ａ，７５ｂ，７５ｃ，７６ａ，７６ｂは、穴が連通し、その穴を貫くネジ７７ａを穴７５ｃ側から穴７５ａ側へ挿入し、穴７５ａ側では、ナット７７ｂで、ネジ７７ａを固定する。
【００２７】
四角板部７２の先端の固定部７８，７９で板６１とバネ７０を固定している。固定部７８，７９では、バネ７０側を凸部とし、板６１側を凹部として、凹部に凸部を嵌め込むことで、板６１と四角板部７２を固定している。
【００２８】
これ以外の第４の実施の形態に係るシールド板装置１３の構成は、第１の実施の形態に係るシールド板装置１０と略同様である、たとえば、バネ７０が板バネ３４を有しているところも同じである。
【００２９】
（第５の実施の形態に係るシールド板装置の構成）
図１１は、第５の実施の形態に係るシールド板装置１４を、劇場、バス等の座席の背もたれ６９の上方向からバネ８０，８４を挟み込んだ状態を示す図である。第５の実施の形態に係るシールド板装置１４は、図１１に示すように、座席の背もたれ６９の幅方向に長いほぼ長方形の板６２を有している。また、シールド板装置１４は、バネ８０，８４を２つ有し、座席の背もたれ６９の両端に１つずつ挟み込んでいる。
【００３０】
バネ８０，８４は、Ｃの字状に湾曲する湾曲部８１，８５を有している。バネ８０，８４は、湾曲部８１，８５と、板６２とバネ８０，８４とくっついている長辺部８２，８３とで構成されている。２つの長辺部８２，８３と板６２は、それぞれ２つの固定部３２を有している。この固定部３２の詳細は、図４で説明した固定部３２と全く同じなので、説明を省略する。また、長辺部８２，８３の固定部３２の最高高さは、板６２の高さ（図１１の矢印ｈ方向の寸法）の２／３程度としている。
【００３１】
図１２は、シールド板装置１４を劇場の複数の座席の背もたれ６９に取り付けた状態である。５人の人間９９が隣の座席を開けて座っている。隣り合うシールド板装置１４の間には、隙間９８が設けられている。
【００３２】
また、図１１に示すように、バネ８０，８４は、Ｃの字状の湾曲部８１，８５を広げ、その状態から、その広げる方向とは反対方向の湾曲部８１，８５を狭める方向に、湾曲部８１，８５を付勢力で閉じることが可能である。図１１、図１２に示すように、その付勢力を利用してバス等の座席の背もたれ６９の上方から、バネ８０，８４を挟み込むことができる。すると、前後の座席の間に板６２が略垂直に配置され、板６２が感染症の飛沫感染をシールドするため、感染を抑制することができる。
【００３３】
（第６の実施の形態に係るシールド板装置の構成）
図１３は、第６の実施の形態に係るシールド板装置１５を示す図である。第６の実施の形態に係るシールド板装置１５は、図１３に示すように、板１００を有している。また、シールド板装置１５は、Ｃの字状に湾曲するバネ１０１を有している。板１００には四角板部１０２が固定されている。バネ１０１と四角板部１０２の間には、回転軸１０３が設けられている。バネ１０１のＣの字状に湾曲部１０７の内側には、ゴム製の滑り止め（グリップ）１０４が部分的に配置されている。
【００３４】
板１００は、図１の板２０の凹部２３を若干形状変更し、四角板部１０２を装着可能としたものである。四角板部１０２は、図１０の四角板部７２と同様に、固定部７８，７９で板６１と四角板部７２に相当する箇所を固定している。すなわち、四角板部１０２は、図１０における固定部７８，７９を、四角板部７２側を凸部とし、板６１側を凹部として、凹部に凸部を嵌め込むことで、板６１と四角板部７２を固定している点は、四角板部１０２と同様である。しかし、四角板部１０２は、その略中央部に固定部３２が設けられている。また、バネ１０１と四角板部１０２の間に設けられている、回転軸１０３は、図９に示す回転軸７３と同様のものである。回転軸１０３により、破線Ｅの軸を回転軸としてその周りを、バネ１０１と四角板部１０２が蝶番状に動作・回転する。
【００３５】
これら以外の第６の実施の形態に係るシールド板装置１５の構成は、第１の実施の形態に係るシールド板装置１０と同じである、たとえば、バネ１０１が板バネ３４を有しているところも同じである。
【００３６】
（本実施の形態によって得られる主な効果）
第１から第６の実施の形態では、特に、バスまたは、新幹線等の電車、劇場等の密閉空間において、隣接する座席間での飛沫感染を抑制できるシールド板装置を提供することができた。
【００３７】
第１から第２の実施の形態では、特に、バスまたは、新幹線等の電車等の座席の背もたれの上方にバネ３０，４５を挟んだときに、隣り合う座席との間に垂直に板２０，２６が配置される。そのため、飛沫感染を抑制するシールド（板）が邪魔にならない位置に配置される。
【００３８】
第３の実施の形態では、特に、バスまたは、新幹線等の電車等の座席の背もたれの横方向からバネ５０を挟んだときに、隣り合う座席との間に垂直に板６０が配置される。そのため、飛沫感染を抑制するシールド（板）が邪魔にならない位置に配置される。そのうえ、座席の背もたれの横方向からバネ５０を挟めるということは、シールド板装置の高さを調節でき、座席に子供がいる場合のようなときに適切な高さでシールドを位置させることができる。
【００３９】
第３の実施の形態では、バネ５０は、湾曲部５１と、Ｖ字状部５２の一体成形物である。こうすることで、湾曲部５１と、Ｖ字状部５２とが別部材の場合にそれらが接触する面積が小さくても、十分な固着強度を得ることができる。特にバネ５０は、Ｃの字状に湾曲する湾曲部を有するバネ５０である場合には、Ｖ字状部５２とくっつく面積が小さいことが多いため、湾曲部５１と、Ｖ字状部５２を一体成型物にすることは重要である。
【００４０】
第４または第６の実施の形態では、特に、バスまたは、新幹線等の電車等の座席の背もたれのいずれの方向からバネ７０，１０１を挟んだときに、隣り合う座席との間に垂直に板６１，１００が配置可能である。そのため、飛沫感染を抑制するシールド（板）が邪魔にならない位置に配置できる。それは、回転軸７３，１０３の蝶番の動作により、シールドの角度を自由に設定できるからである。
【００４１】
第１から第２の実施の形態では、板２０，４１とは重ならない部分３３を有している。板２０，４１とは重ならない部分３３は、バネ３０，４５の動きの自由度を高めている。
【００４２】
第１から第４および第６の実施の形態では、バネに板バネを沿えている。そのためバネの寿命が延びるとともに、バネ力が強まる。
【００４３】
第２の実施の形態では、まずスリット４８がブロック３８と接触部３７との隙間３９を通り、リブ４７にと嵌め合わされ、両者が係止される。その後、１つの固定部３２が固定される。これで１つの固定部３２と、係止部３６との部分で固定がなされ、板４１とバネ４５とが固定される。すなわち、２箇所の固定箇所だけの操作で板４１とバネ４５とが固定されるため、簡単に取り付けが可能である。
【００４４】
固定部３２は、穴２４の径が、ピン３４の径よりもわずかに小さい。仮にスリット２５がなければ、ピン３４は穴２４を貫通することはない。しかし、僅かなスリット２５の変形により、穴２４の径が広がることができ、穴２４がピン３４の付勢力を与えながら、固定部３２の穴２４とピン３４が固定される。このようなスリット２５の働きにより、固定部３２は、非固定部とする（バネから板を取り外す）ことが容易である。
【００４５】
第１から第６の実施の形態では、主に固定部３２等で固定しているため、容易に板の取り付け・取り外しができる。このことは、板を頻繁に交換できるということである。飛沫で汚れた板は、容易に交換したほうが良いのは言うまでもない。シールド板装置としては、板を頻繁に交換できるのは、大きな利点である。
【００４６】
第６の実施の形態では、バネ１０１のＣの字状に湾曲する内側には、ゴム製の滑り止め（グリップ）１０４が部分的に配置されている。このため、座席の背もたれに挟んで固定したバネ１０１が滑って固定位置が変わるのを抑制できる。
【００４７】
第５の実施の形態では、シールド板装置１４は、図１１に示すように、座席の背もたれ６９の上方に長方形の板６２を有している。そのため、座席の背もたれ６９の上方から来る飛沫をブロックすることができる。
【００４８】
第５の実施の形態では、バネの固定部３２は、板６２の最高高さの２／３程度としていることから、非常に強固に板６２を固定している。
【００４９】
（他の形態）
上述した本実施の形態に係るシールド板装置１０から１５の製造法は、本発明の好適な形態の一例ではあるが、これに限定されるものではなく本発明の要旨を変更しない範囲において種々の変形実施が可能である。
【００５０】
第１から第６の実施の形態では、板を厚み０．３〜１０ｍｍのポリエチレンテレフタレートとしている。しかしアクリル樹脂等を使用しても良いし、適宜の厚みの樹脂等を選択できる。また、第１から第６の実施の形態では、バネをポリカーボネイト製としているが他の樹脂、金属等を選択することができる。
【００５１】
第１から第２の実施の形態では、板２０，４１とは重ならない部分３３を有している。しかし、板２０，４１とは重ならない部分３３は、必ずしも必要ではない。
【００５２】
第１から第４および第６の実施の形態では、バネに板バネを沿えている。しかし、板バネは必須の構成要素ではない。
【００５３】
第２の実施の形態では、１つの固定部３２が固定され、ピン３３を中心に板４１の回転がなされると、スリット４８がブロック３８と接触部３７との隙間３９を通り、リブ４７にと嵌め合わされ、両者が係止される。しかし、たとえば、ブロック３８を図７の紙面手前に配置し、隙間３９を通らずスリット４８をリブ４７に係止する等としても良い。
【００５４】
固定部３２は、穴２４の径が、ピン３４の径よりもわずかに小さい。しかし、スリット２５がなければ、穴２４の径が、ピン３４の径が同一であれば、ピン３４は穴２４を貫通することができる。よって、スリット２５は必須の構成要素ではない。
【００５５】
第３の実施の形態では、Ｖ字状部５２を用いている。しかし、Ｖ字状部５２と同様の機能を有するのであれば、その形状はＶ字状に限らない。
【００５６】
第１から第６の実施の形態では、主に固定部３２等で固定しているため、容易に板の取り付け・取り外しができる。しかし、板を消毒することで何度もその板を使用することができる。
【００５７】
第６の実施の形態では、バネ１０１のＣの字状に湾曲する内側には、ゴム製の滑り止め（グリップ）１０４が部分的に配置されている。しかし、ゴム製の滑り止めは、必須の構成要素ではないため省略することができる。
【００５８】
第５の実施の形態では、バネの固定部３２は、板６２の高さの２／３程度としている。しかし、板６２の高さの１／５以上、より好ましくは１／３以上であれば強固に板６２を固定できる。また、長辺部８２，８３は、一つに付き２つ固定部３２が配置されている。しかし、長辺部８２，８３への固定部３２の配置数は、１つまたは３つ以上としても良い。そして、その中の最も高い位置にある固定部３２が板６２の高さの１／５以上に配置されてあれば良い。
【００５９】
第５の実施の形態では、図１２に示すように、隣り合うシールド板装置１４の間には、隙間９８が設けられている。この隙間９８から飛沫が飛んでこないようにするため、隣り合うシールド板装置１４の板６２の端部を重ね合わせることとしても良い。また、複数の座席の背もたれに渡る大型の板でシールド板装置としても、隙間９８から飛沫が飛んでくるのを抑制できる。
【００６０】
シールド板装置１４は、バネ８１および長辺部８２は、一つに付き２つ配置されている。しかしバネ８１および長辺部８２の数は、適宜決定しても良い。
【００６１】
第１の実施の形態では、固定部３２の数は３つとしているが、２つまたは４つ以上としても良いことは言うまでもない。また、固定部３２のスリット２５は９０°間隔に４つとしなくても良く、１２０°間隔に３つ等としても良い。また、スリット２５は、必ずしも等間隔に設ける必要はない。さらに、第１，第２，第５および第６の実施の形態で用いた固定部３２は、固定部３２とは、異なる構成の固定部であっても良い。
【００６２】
第１から第２の実施の形態では、板２０，４１は、略四角い部分２１，４２と湾形状部分２２を外形として有する、Ｊの字状に切り取られた湾曲する凹部２３，４３を有している。しかし、このＪの字状に代えて「Ｕの字状」に切り取られた湾曲する凹部２３，４３を有していても良い。
【００６３】
回転軸７３，１０３の構成は、回転軸７３，１０３と同様の蝶番状の動作が実現できるなら、変更しても良い。
【００６４】
第３の実施の形態では、バネ５０の略中央部にＶ字状部５２が固定されているが、その固定位置は、バネ５０の略中央部以外でも良い。また、Ｖ字状部５２は、バネ５０との一体成形物であるが、Ｖ字状部５２は、バネ５０と別部材であっても良い。
【符号の説明】
【００６５】
１０，１１，１２，１３，１４，１５  シールド板装置
２０，４１，６０，６１，６２，１００  板
３０，４５，５０，７０，８０，８４，１０１  バネ
３１，４６，５１，７１，８１，８５，１０７  湾曲部
３２，５３，５４，７８，７９  固定部
２３  凹部
７３，１０３  回転軸
【図１】
2022000064.tif 000003
【図２】
2022000064.tif 000004
【図３】
2022000064.tif 000005
【図４】
2022000064.tif 000006
【図５】
2022000064.tif 000007
【図６】
2022000064.tif 000008
【図７】
2022000064.tif 000009
【図８】
2022000064.tif 000010
【図９】
2022000064.tif 000011
【図１０】
2022000064.tif 000012
【図１１】
2022000064.tif 000013
【図１２】
2022000064.tif 000014
【図１３】
2022000064.tif 000015